(57)【要約】【課題】  個々の撮像画像の内容にあったタイトルを付けることが可能なプリント写真作成システムを提供する【解決手段】  タイトル情報を登録する登録手段、撮像画像を取り込む取込手段、撮像画像に付与されている時刻情報を読み出す読出手段、撮像画像の時刻情報とタイトル情報とを照合する照合手段、照合手段の照合結果により選択されたタイトル情報を撮像画像に合成する合成手段、合成手段で得られた画像を出力する出力手段とを有するプリント写真作成システム。【選択図】        図１
2006293052.tif 000002
【特許請求の範囲】
【請求項１】
タイトル入りのプリント写真を作成するプリント写真作成システムにおいて、
該プリント写真に入れるタイトル情報を登録する登録手段と、
撮像手段により得られた撮像画像を取り込む取込手段と、
該撮像画像に付与されている該撮像画像の撮像を行った時刻に関する時刻情報を読み出す読出手段と、
該読出手段により読み出された時刻情報と該登録手段に登録されたタイトル情報とを照合する照合手段と、
該照合手段の照合結果に基づいて選択されたタイトル情報と該取込手段により取り込まれた撮像画像とを合成する合成手段と、
該合成手段で得られた画像情報を記録媒体上に出力する出力手段と、
を有することを特徴とするプリント写真作成システム。
【請求項２】
前記登録手段により登録されるタイトル情報には、該タイトル情報の内容が行われるとされる時刻の情報が付与されており、
前記照合手段は、該タイトル情報に付与されている時刻の情報と前記読出手段により読み出された前記撮像画像に付与されている時刻情報とを照合するものであることを特徴とする請求項１に記載のプリント写真作成システム。
【請求項３】
前記撮像手段により得られた撮像画像に付与された時刻情報に基づいて、
前記撮像手段により得られた複数の撮像画像を並べるソート手段を有することを特徴とする請求項１に記載のプリント写真作成システム。
【請求項４】
タイトル入りのプリント写真を作成するプリント写真作成方法において、
該プリント写真に入れるタイトル情報を登録しておき、
撮像手段により得られた撮像画像を取り込むとともに、該撮像画像に付与されている該撮像画像を撮像した時刻に関する時刻情報を読み出し、
読み出された時刻情報と登録しておいたタイトル情報とを照合し、その照合結果に基づいて、撮像画像に付けるタイトル情報を選択し、合成する工程を経て、
タイトル入りのプリント写真を作成することを特徴とするプリント写真作成方法。
【請求項５】
前記タイトル情報には、タイトル情報の内容が行われるとされる時刻の情報が付与されており、
該タイトル情報に付与されている時刻の情報と前記撮像画像に付与されている時刻情報とを照合することを特徴とする請求項４に記載のプリント写真作成方法。
【発明の詳細な説明】
【技術分野】
【０００１】
本発明は、タイトル入りのプリント写真を作成するプリント写真作成システム、及びプリント写真作成方法に関する。
【背景技術】
【０００２】
運動会や遠足などの学校行事や町内会の慰安旅行で撮影したプリント写真に、例えば、「習志野小学校秋の運動会  ○年△月○○日」とか「西船橋町内会  箱根旅行」などのタイトルを入れたものは、イベント内容や日時等も入りユーザに好まれている。
【０００３】
このようなタイトル入力をはじめとするプリント写真に印字を行う技術としては、例えば、現像処理を終えたロールペーパのプリント面に、インクリボンを介してそのプリント写真に応じた印字を行う印字装置の技術がある（特許文献１参照）。また、印字装置を用いずにプリント写真への印字を行えるようにしたプリント写真印字設定に関する技術もある（特許文献２参照）。
【０００４】
さらに、撮影時に磁気記録層に記録した情報をプリント写真の画像上に合成する際に、合成による写真画像の品質低下を防ぐために、撮影者により選択された加工情報に基づいて合成を行うようにしたプリント写真装置の技術（特許文献３参照）がある。
【特許文献１】特開平８−２９２５０３号公報（段落０００５等参照）
【特許文献２】特開平１０−１９７９６６号公報（段落００１０等参照）
【特許文献３】特開平１１−２８８０４４号公報（段落０００９等参照）
【発明の開示】
【発明が解決しようとする課題】
【０００５】
ところで、タイトル内容をイベント中の細かい内容に対応したものにすると、プリント写真のタイトルは個々の画像内容に即応しており、写真の付加価値がより高められ、ユーザからのニーズもより高いものとなる。具体的には、運動会の各種種目や内容に対応して、「校長先生のごあいさつ」、「６年生の白熱した騎馬戦！！」、「運動会のフィナーレを飾る学年対抗リレー」といったタイトルを入れたプリント写真である。このような細かな内容のタイトル情報をプリント写真に入れる場合には、各撮影画像に対応したタイトルを正しく入れなければならないが、内容が細かくなるほどタイトルも多くなり、個々の撮影画像に正しいタイトルを適切に入れることはかなり手間のかかるものになった。
【０００６】
このようなタイトル入力は、印画紙に焼付けを行う時にオペレータが撮像画像を１つ１つ確認して、対応するタイトルを入力していたが、「校長先生のごあいさつ」と入れるべき写真に「１年生のくすだまわり」といったタイトルの誤入力をおこすおそれがある。タイトルの誤入力があると、プリント作成作業をやり直さなければならず、時間的、コスト的なロスが問題となる。とりわけ、学校や町内会単位でのこのようなプリント写真の作成は処理枚数が大量になるので、各画像毎に異なったタイトルを１つ１つ正確に入力することは手間がかかり、誤入力によるロスの発生を極力避けなくてはならなかった。したがって、入力するタイトルの内容も、学校名や日時、前述した運動会とか慰安旅行といったレベルの簡単で、全画像に対して共通なものを入れるに留まっていた。
【０００７】
本発明は、タイトル入りのプリント写真を作成する際に、イベント中の細かな内容に対応したタイトル名を付与することのできるプリント写真作成システムを提供することを目的とするものである。具体的には、例えば、運動会の各種競技種目や内容に対応して１カット毎に異なる内容のタイトルを入れることが可能なプリント写真作成システムを提供することを目的とする。そして、大量のプリント写真注文を受けた時にも個々の写真に対応したタイトル情報を誤りなく入力することが可能なプリント写真作成システムを提供することを目的とする。
【課題を解決するための手段】
【０００８】
本発明は、以下の請求項に記載の構成により達成される。
【０００９】
（請求項１）
タイトル入りのプリント写真を作成するプリント写真作成システムにおいて、
該プリント写真に入れるタイトル情報を登録する登録手段と、
撮像手段により得られた撮像画像を取り込む取込手段と、
該撮像画像に付与されている該撮像画像の撮像を行った時刻に関する時刻情報を読み出す読出手段と、
該読出手段により読み出された時刻情報と該登録手段に登録されたタイトル情報とを照合する照合手段と、
該照合手段の照合結果に基づいて選択されたタイトル情報と該取込手段により取り込まれた撮像画像とを合成する合成手段と、
該合成手段で得られた画像情報を記録媒体上に出力する出力手段と、
を有することを特徴とするプリント写真作成システム。
【００１０】
（請求項２）
前記登録手段により登録されるタイトル情報には、該タイトル情報の内容が行われるとされる時刻の情報が付与されており、
前記照合手段は、該タイトル情報に付与されている時刻の情報と前記読出手段により読み出された前記撮像画像に付与されている時刻情報とを照合するものであることを特徴とする請求項１に記載のプリント写真作成システム。
【００１１】
（請求項３）
前記撮像手段により得られた撮像画像に付与された時刻情報に基づいて、
前記撮像手段により得られた複数の撮像画像を並べるソート手段を有することを特徴とする請求項１に記載のプリント写真作成システム。
【００１２】
（請求項４）
タイトル入りのプリント写真を作成するプリント写真作成方法において、
該プリント写真に入れるタイトル情報を登録しておき、
撮像手段により得られた撮像画像を取り込むとともに、該撮像画像に付与されている該撮像画像を撮像した時刻に関する時刻情報を読み出し、
読み出された時刻情報と登録しておいたタイトル情報とを照合し、その照合結果に基づいて、撮像画像に付けるタイトル情報を選択し、合成する工程を経て、
タイトル入りのプリント写真を作成することを特徴とするプリント写真作成方法。
【００１３】
（請求項５）
前記タイトル情報には、タイトル情報の内容が行われるとされる時刻の情報が付与されており、
該タイトル情報に付与されている時刻の情報と前記撮像画像に付与されている時刻情報とを照合することを特徴とする請求項４に記載のプリント写真作成方法。
【発明の効果】
【００１４】
本発明によれば、撮像した画像情報に付与されている撮影時刻を記録した時刻情報を付与した画像情報とタイトル情報とを照合することにより、各画像に対して適切なタイトルを自動的に設定することができるようになった。
【００１５】
その結果、従来は手作業で１画像ずつ設定する手間を要したタイトル設定作業が迅速に行えるようになり、プリント写真の作成作業を飛躍的に早めることができるようになった。その結果、ユーザにはタイトル入りのプリント写真を迅速に提供することができ、また、タイトル設定作業に人員を割く必要がなくなり、プリント写真作成に要するコストを大幅に低減させることを可能にした。
【００１６】
すなわち、本発明によれば、個々の画像の内容に適したタイトルを入れたプリント写真を作製者の手間をかけることなく迅速に作成することが可能になった。その結果、ユーザには撮影シーンに対応したタイトルの入ったプリント写真を提供することができるようになり、プリント写真の付加価値を高めることが可能になった。
【発明を実施するための最良の形態】
【００１７】
本発明は、例えば、学校行事や町内会の慰安旅行などのイベントで撮影された写真などに、各撮像画像の内容に合ったタイトルを入れたプリント写真を作成するプリント写真作成システムに関する。
【００１８】
本発明に係るプリント写真作成システムは、プリント写真に入れるタイトル情報を登録する登録手段、撮像手段により得られた撮像画像を取り込む取込手段、撮像画像に付与されている撮像画像の撮像を行った時刻の情報を読み出す読出手段と、読出手段により読み出された時刻情報と登録手段に登録されたタイトル情報とを照合する照合手段と、照合手段の結果に基づいて選択されたタイトル情報と撮像画像とを合成する合成手段と、合成手段で得られた画像情報を記録媒体上に出力する出力手段という構成を有する。
【００１９】
本発明では、学校行事などのイベントのタイトル情報（例えば、イベントや行事の細かな内容、日付、イベントの行われている場所など）をデータベースに登録しておく。そして、イベント当日に撮像手段により撮像された撮像情報に保有されているタグ情報に含まれている撮像画像を撮影した時刻の情報を前述のタイトル情報と照合し、その照合結果に基づいて各撮像画像に適したタイトル情報を選択する。さらに、選択されたタイトル情報と撮像画像とを合成し、これを印画紙などの出力媒体上に出力することにより、タイトル付きのプリント写真を作成するものである。
【００２０】
本発明に係るプリント写真作成システムを図に基づいて説明する。図１は、本発明に係るプリント写真作成システムの概要を示す模式図である。図１のプリント写真作成システムは、デジタルカメラ１１から供給される記録媒体２に記録された画像情報と、イベント内容に対応したタイトル情報とを用いて、タイトル入りのプリント写真１０ａ、１０ｂ、１０ｃを出力するものである。１０ａのプリント写真は、イベントで撮影した全てのシーンを大判のプリントに出力したもので、例えば、業者がユーザからのプリント注文を受けるために使用するものである。業者はプリントができたときにこれをユーザに提示し、ユーザはこの中から希望の写真を選んで業者に注文する。１０ｂのプリント写真は、各プリントに写されたシーンに適したタイトルが画像とともに付与されているものである。本発明に係るプリント写真作成システムは、各プリント写真毎にそれぞれのシーンに適した種々のタイトルを付与することが可能である。
【００２１】
デジタルカメラ１１は、液晶モニタを備えたタイプのカメラであり、撮影により取得した画像情報を、そのデジタルカメラ本体とメモリカード（登録商標）に代表される着脱可能な記録媒体２に記録するものである。記録媒体２に記録される画像情報２０（以下、画像ファイル２０ともいう）は、撮像画像２１と、各撮像画像２１を撮影したときの時刻の情報などの付帯情報を記録したタグ情報２２から構成される。
【００２２】
情報取扱装置３は、本発明に係るプリント写真作成システムの作動を制御するソフトウェアを備えたコンピュータであり、制御手段として作用するものである。例えば、記録媒体２に記録されている撮像画像２１に付与されているタグ情報２２の読み出しや、撮像画像２１の取込み、あるいは、プリント写真に付けるタイトル情報のデータベース６への登録といった処理を行う。また、図１に示すように、情報取扱装置３はタイトル情報などの各種情報を保管しておくデータベース６や、プリント写真を作成するプリンタ（プリント写真出力装置）５などの周辺機器と接続し、これらの作動を制御する。
【００２３】
プリント写真出力装置（プリンタ）５は、入力された画像情報を注文情報に記された条件に基づいてプリント写真１０を作成するもので本発明における出力手段に相当する。また、データベース６は、情報取扱装置３を介して登録されたタイトル情報を保管、提供し、また、プリント編集時に使用される背景画像やイラスト、アート文字なども保管、提供するものである。
【００２４】
デジタルカメラ１１により記録媒体２に記録された画像情報２０は、記録媒体２をデジタルカメラ１１から取り外し、情報取扱装置３に備えられているカードリーダにセットすることにより、ラボのシステムに受け渡される。
【００２５】
情報取扱装置３は、記録媒体２から画像ファイル２０を読み出し、画像ファイル２０のタグ情報領域２２内の撮影情報２２３領域内に記録される撮影実施時刻の情報２２３ａにしたがって、データベース６から撮影を実施した時刻に対応するタイトル情報を選択し、これを撮像画像２１に合成する処理を行う。同時に、タグ情報領域２２に書き込まれた注文情報２２４にしたがって、必要に応じてデータベース６から必要なテンプレートデータを入手し、画像ファイル２０に記録されている撮像画像２１に対して色、階調変換、画素数変換、各種編集処理などの画像処理を施す。その後、情報取扱装置３は、上述の画像処理を行った画像データをプリント写真出力装置５に転送する。
【００２６】
プリント写真出力装置５は、情報取扱装置３からの指示にしたがって、転送された処理済画像データから、図１に示す様に、インデックスプリント１０ａや、いわゆる普通のプリント写真１０ｂ、さらには、編集プリント１０ｃなどを作成する。とりわけ、本発明では、１０ｂの個々のプリント写真に対し、これらの写真を撮影した時刻に対応してタイトルを付与することができるので、写真の内容に対応したタイトル入りのプリント写真を提供することが可能である。
【００２７】
本発明に係るプリント写真作成システムでは、情報取扱装置（コンピュータ）３内に装填される制御部３により、記録媒体２に記録されている画像情報２０とデータベース５に記録されているタイトル情報を用いてタイトル入りのプリント写真が作成される。
【００２８】
ここで、本発明に係るプリント写真作成システムの制御関係を図２のブロック図を用いて説明する。情報取扱装置３は、ＣＰＵ、メモリＭ、演算ユニットＡ、入出力インターフェイス、駆動回路等からなるコンピュータである。本発明に係るプリント写真作成システム１の制御は、情報取扱装置３がメモリＭに格納しているプログラムを実行することにより行われる。
【００２９】
図２に示すように、情報取扱装置（図中では制御部と記す）３はプリント写真を出力する本発明における出力手段に該当するプリント写真出力装置５、タイトル情報が保管されているデータベース６と接続し、これらの作動を制御する。また、情報取扱装置３には情報入力手段として、デジタルカメラ１１からの情報を入力する記録媒体装填部３１とタイトル情報に関する情報を入力する情報入力部３２を有する。
【００３０】
また、制御部３内に設けられた演算ユニット３Ａ内には、記録媒体２に記録されるデジタルカメラ１１からの情報とスケジュール表４より入力された情報を処理する各種処理部が設けられている。
【００３１】
撮像画像取込部３３は、本発明における取込手段に該当するもので、デジタルカメラ１１で得られた撮像画像を記録媒体２より取り出して、プリント写真作成システム１に取り込むものである。時刻情報読出部３４は、本発明における読出手段に該当するもので、記録媒体２中の画像ファイル２０内のタグ情報領域２２に記録されている撮影を行った時刻に関する時刻情報を読み出すものである。タイトル情報登録部３８は、本発明におけるタイトル情報を登録する登録手段に該当するもので、プリント写真に入れるタイトル情報をデータベース６に登録するものである。
【００３２】
時刻照合部３５は、本発明における照合手段に該当するもので、時刻情報読出部３４で読み出された各撮影画像に付与されている時刻情報と、タイトル情報登録部３８により登録された各タイトル情報に付与されている時刻情報とを比較、照合するものである。
【００３３】
タイトル情報選択部３６は、時刻照合部３５での照合結果から各撮像画像に付与するタイトルを選択するものである。すなわち、照合部３５で撮像画像を撮像した時刻の情報と一致する時刻の情報を有するタイトル情報が選択される。
【００３４】
情報合成部３７は、本発明における合成手段に該当するもので、タイトル情報選択部３６で選択されたタイトルを対応する撮像画像２１に合成するものである。情報合成部３７で撮像画像とタイトルが合成され、合成された情報はプリント写真出力装置５に送られてタイトル入りのプリント写真が作成される。
【００３５】
このように、本発明では情報取扱装置（コンピュータ、制御部）３で、撮像手段により撮像された撮像画像に付与された時刻情報とデータベースに登録したタイトル情報に付与された時刻情報とが照合され、各撮像画像に適正なタイトルが選択される。そして、これらが合成され、合成した画像情報をプリント写真出力装置５で作成することにより、写真の内容に合ったタイトルを付けたプリント写真が得られる。
【００３６】
次に、本発明に係るプリント写真作成システムにおけるプリント写真作成のフローを図３のフローチャートを用いて説明する。なお、このフローを用いるプリント写真作成システムは、一定時刻内に使用可能なタイトル情報を複数提供する仕様のものとする。
【００３７】
最初に、スケジュール表に基づいて、プリント写真に使用するタイトル情報をコンピュータ３の情報入力部３２より入力し、タイトル情報登録部３８を介して登録を行う（ステップＳ１）、登録したタイトル情報には時刻情報が付与されており、タイトル情報の登録を行う時にはタイトル情報とともに時刻情報の登録も行っている。なお、タイトル情報の登録は図３のように事前に行う他に、撮影を行った後に登録してもよい。撮影後にタイトル情報を登録すると、当日にスケジュール変更があった場合に対応してタイトル情報を用意することができるので好ましい。
【００３８】
個々のタイトル情報に付与されている時刻情報は、例えば、９時３０分とか、１２時００分といった一点の時刻を対応付けたものの他に、９時３０分から１０時００分までの間のようにある程度の範囲を持たせて対応させたものでもよい。また、同じ時刻内に登録するタイトル情報を１つだけにせず複数のタイトル情報を登録するものでもよい。例えば、９時３０分から１０時００分までの時間帯に登録するタイトル情報として、「バスが出発」というタイトルだけではなく、「バスの中でしりとり合戦」とか「先ずは腹ごしらえ」などのタイトルを複数登録しておくとよい。
【００３９】
イベント当日となり、デジタルカメラ１１による撮影が行われる（ステップＳ２）。デジタルカメラ１１には、撮像画像２１とともに各撮像画像が撮影された日時に関する時刻情報が付与され、タグ情報２２として記録される。
【００４０】
撮影終了後、記録媒体２より記録された撮像画像２１を情報取扱装置３に取り込む（ステップＳ３）。同時に記録媒体２より各撮像画像２１にＥｘｉｆなどのフォーマットで付与されている時刻情報を記録媒体２より読み出す（ステップＳ４）。時刻情報の読出しを終了後、取り込んだ撮像画像を時刻順に並び替える作業を行う（ステップＳ５）。
【００４１】
次に、撮像画像に付与されている時刻情報とすでに登録しておいたタイトル情報に付与されている時刻情報とを照合し（ステップＳ６）、その照合の結果、双方の時刻情報が一致する場合（ステップＳ７；Ｙｅｓ）は、その時刻に対応するタイトル情報の選択を行う（ステップＳ８）。一方、双方の時刻情報が一致しない場合（ステップＳ７；Ｎｏ）には再度時刻情報の照合を行う（ステップＳ６）。
【００４２】
タイトル情報を選択後、撮像画像とそれに対応するタイトル情報の合成を行い（ステップＳ９）、合成画像をモニタ７に表示して画像とタイトルを確認する（ステップＳ１０）。合成した画像から、タイトルと画像の内容とが一致すると判断した場合（ステップＳ１１；Ｙｅｓ）は、作成した合成画像情報をプリント写真出力装置５に送信し（ステップＳ１２）、タイトル入りのプリント写真を作成する（ステップＳ１３）。一方、タイトルと画像の内容とが一致しないと判断した場合（ステップＳ１１；Ｎｏ）は、ステップＳ８に戻り、照合した時刻内で提供されている複数のタイトル情報から、画像の内容にふさわしいタイトル情報を選択する。このようにして、本発明に係るプリント写真作成システムでは、個々の撮像画像の内容に一致したタイトル情報を付与したプリント写真を作成する。
【００４３】
次に、記録媒体２について説明する。本発明に使用可能な記録媒体２は、ＳＳＦＤＣ、コンパクトフラッシュ（登録商標）、ＰＣカードなどのメモリカードと呼ばれる記録媒体が代表的なものとして挙げられる。また、メモリカードの他にも、ＦＤ、ＰｉｃｔｕｒｅＭＤ、Ｚｉｐ、ＭＯ、さらには、マイクロドライブ（登録商標）に代表される可搬型の小型ハードディスク、磁気ディスク、光ディスク（ＣＤ−Ｒ，ＣＤ−ＲＷ，ＤＶＤ−Ｒ，ＤＶＤ−ＲＡＭなど）、光磁気ディスクといった種々のリムーバブルメディアも記録媒体として使用可能である。
【００４４】
記録媒体２では、パソコンのファイルシステムと同様にファイルを複数のディレクトリに分類して格納する。これらのディレクトリは、予め固定で定めておいてもよいし、デジタルカメラ１１にディレクトリ作成機能を設けて、撮影者が作成できるようにしてもよい。例えば、ルートディレクトリの下にディレクトリを設け、その中に、画像情報２０を収納する画像ファイル２０が格納され、画像ファイル２０には、例えば、Ｅｘｉｆなどの圧縮形式により撮像画像２１や撮影を行った日時に関する情報が収納される。
【００４５】
本発明で使用される撮像手段は、デジタル化した撮像画像と、各撮像画像を得た時刻情報を得ることができるものであれば特に限定されるものではない。代表的な撮像手段としては、前述したデジタルカメラが挙げられ、デジタルカメラ１１は撮影時に撮像画像とともに各画像を撮影した日や時刻の情報もいっしょに記録され、各撮像画像に付けるタイトル情報を決める照合作業を迅速かつ誤りなく行う上で好ましい。このように、デジタルカメラ１１は画像情報２０を記録媒体２に記録するときに、撮像画像２１とともに各撮像画像を撮影した時刻情報も撮像画像２１と対応させて記録される。
【００４６】
図４は、記録媒体２に記録される画像情報２０のフォーマットの一例を示す図である。図に示すように、画像情報２０に付与される時刻情報２２３ａは、撮像画像２１とともにタグ情報２２として画像ファイル２０に取り込まれる。タグ情報２２は、例えば、Ｅｘｉｆなどのファイルフォーマット（デジタルカメラによる画像ファイルの記録形式のこと）により規定される。なお、図４では、時刻情報２２３ａは撮影情報２２３に記録される。
撮影情報２２３には、本発明に係る時刻情報に対応する撮影実施時刻２２３ａの他に、撮影時のシャッタスピードや絞り値といった露光条件や撮影時の天候、色温度などの撮影時条件のデータを記録する撮影時条件データ２２３ｂなども有している。
【００４７】
また、記録媒体２に記録される画像情報２０のタグ情報領域２２には、撮影時刻情報情報２２３ａの他に、その画像の各種付帯情報を記述することが可能である。例えば、その画像情報のフォーマット種別２２１や、低解像度のサムネイル画像出力用情報２２２、さらには注文情報２２４などを書き込む領域を有する。
【００４８】
注文情報２２４には、例えば、プリントサイズや、注文枚数、トリミング範囲、印画紙種類（光沢、絹目、シールプリントなど）、フチ有り／フチなし選択（図示せず）、画像移動（回転など）（図示せず）といった種々の注文に関する項目を記述することができる。なお、タグ領域８に記述する注文情報の具体的な項目および各項目に割り当てられるビット数は、上記例に限定されるものではない。
【００４９】
なお、本発明は、ファイルフォーマットを有さない従来の銀塩写真方式の撮影装置で得られた画像も利用することが可能である。この場合、各画像を撮影したときの時刻情報を撮影者がメモなどで記録しておく必要があり、例えば、以下のような作業を行うことが必要になる。先ず、撮影者は各撮影画像に対し撮影を行った時刻をメモするなどして記録しておく。そして、現像処理して得られたフィルム画像をデジタル処理してデータベースに電子情報として取込み可能な形態にする。このとき、メモ書きで記録しておいた各画像の時刻情報をデジタル化した撮影画像情報に付与して取込みを行うようにする。このようにして、時刻情報を付与した撮像画像を作成することが可能である。
【００５０】
次に、本発明で行われるタイトル情報の登録について説明する。図５は、本発明でタイトル情報の登録に使用可能なイベントスケジュール表の一例である。このように、本発明でタイトル情報の登録に使用されるものは、個々のタイトル情報がそれぞれ時刻と対応した仕様になっている。
【００５１】
図５のイベントスケジュール表４は、いもほり大会のスケジュール表で、予定時刻、イベントの具体的な内容、使用するタイトル情報がリストになっている。そして、例えば、９時３０分に「公民館に集合する」予定になっているが、この内容に対応する画像を撮像したときには、表中の「みんな、そろったかな」とか「わすれものはないかな」といったタイトル情報を、使用することができる。すなわち、使用するタイトル情報の欄に記載の内容は、各時間帯に撮像手段で撮像された画像に使用されるタイトル情報となる。
【００５２】
例えば、スケジュール表４では、１０時３０分に「いもほり開始」、１１時３０分に「いもほり終了」と記載されている。この間に撮像手段で撮影された画像に使用可能なタイトルが使用するタイトル情報に記載のものである。具体的には、「よいしょ、よいしょ」（たくさんのいもを小さな子どもがかついでいるシーンに使うタイトル）、「お父さん、なれた手つきですね」（引率の保護者を撮影した画像に使うタイトル）、「おいも三兄弟、なんちゃって！！」（たくさんのいもがとれたときのシーンに使うタイトル）など、いもほりで想定される各種シーンに対応したタイトル情報を用意しておく。
【００５３】
同様に、１２時００分から１３時００分までは「昼食」になっているので、この間に撮影された画像に使用可能なタイトルは、使用するタイトル情報欄に記載の「いただきます」、「仕事のあとのごはんはおいしいなあ。」、「ぼくも豚汁のおかわりちょうだい」といったタイトル情報を使用することができる。
【００５４】
このように、本発明では、例えば、集合時刻やいもほり、昼食などのイベント中の具体的な内容に対応したタイトル情報を、これらの内容が行われると想定される時刻または時間帯を付与して登録するものである。すなわち、時刻情報が付与されたタイトル情報がシステムに登録されているので、タイトル情報に付与された時刻情報とデジタルカメラで得られた撮像画像に付与された時刻情報とを照合することにより、各撮像画像の内容に即応したタイトルをつけることが可能である。
【００５５】
なお、イベントスケジュール表４には、スケジュール欄と内容が未記入で、使用するタイトル情報欄に「さくら町子供会いもほり大会  ２００○．１０．１８」と記載されたものがあるが、これは、撮像画像の中で参加者全員を撮影した記念写真や、１０ａのような見本写真用のタイトルに使用することを想定したものである。また、その下にある「おいしいおいもがとれました」とか、「１年生もいっぱいとりました」というタイトルは、例えば、１０ｃのように、２、３の撮像シーンを１枚の印画紙に出力したものに使用するタイトルである。
【００５６】
本発明では、時刻情報を付与してタイトル情報を登録しているが、タイトル情報の登録をイベント実施前に行う場合、イベントの実際の進行が予定より遅れたり、早まったりする結果、登録したタイトル情報の時刻情報が実際の時刻と一致しなくなることも想定される。この場合、登録したタイトル情報に付与した時刻情報を実際のイベント進行に合わせたものに変更する対応を行うことにより、個々のシーンに対応したタイトルを撮像画像につけることができる。
【００５７】
このように、本発明では、イベントの具体的な内容に沿ったタイトル情報を時刻情報を付与して登録することにより、その時間帯に撮像された画像には画像の内容に即応したタイトルをつけることが可能である。
【００５８】
以上のように、本発明によれば、撮像した画像情報に付与されている撮影時刻を記録した時刻情報を付与した画像情報とタイトル情報とを照合することにより、各画像に対して適切なタイトルを自動的に設定することができるようになった。
【００５９】
その結果、従来は手作業で１画像ずつ設定する手間を要したタイトル設定作業が迅速に行えるようになり、プリント写真の作成作業を飛躍的に早めることができるようになった。その結果、ユーザにはタイトル入りのプリント写真を迅速に提供することができ、また、タイトル設定作業に人員を割く必要がなくなり、プリント写真作成に要するコストを大幅に低減させることを可能にした。
【００６０】
また、本発明によれば、個々の画像の内容に適したタイトルを入れたプリント写真を作成者の手間をかけずに迅速に作成できるようになったことに加えて、ユーザに撮影シーンに対応したタイトルの入ったプリント写真を提供することができるようになり、プリント写真の付加価値を高め、ユーザに喜ばれるプリント写真の提供を可能にした。
【図面の簡単な説明】
【００６１】
【図１】プリント写真作成システムの概要を示す模式図である。
【図２】プリント写真作成システムの制御関係を示すブロック図である。
【図３】本発明におけるプリント写真作成のフローを示すフローチャートである。
【図４】画像情報のフォーマットの一例を示す模式図である。
【図５】タイトル情報を記載したイベントスケジュール表の模式図である。
【符号の説明】
【００６２】
１  プリント写真作成システム
２  記録媒体
３  情報取扱装置（コンピュータ、制御部）
３Ａ  演算ユニット
３Ｍ  メモリ
３１  記録媒体装填部
３２  情報入力部
３３  撮像画像取込部
３４  時刻情報読出部
３５  時刻照合部
３６  タイトル情報選択部
３７  情報合成部
３８  タイトル情報登録部
３９  撮像画像ソート部
４  イベントスケジュール表
５  プリント写真出力装置（出力手段）
６  データベース
７  モニタ（表示画面）
１０、１０ａ、１０ｂ、１０ｃ  タイトル付きのプリント写真
２０  画像情報（画像ファイル）
２１  撮像画像
２２  タグ情報
２２３ａ  時刻情報
【図１】
2006293052.tif 000003
【図２】
2006293052.tif 000004
【図３】
2006293052.tif 000005
【図４】
2006293052.tif 000006
【図５】
2006293052.tif 000007